(57)【要約】【課題】組み立て作業が容易となる電子機器の保護板を提供する。【解決手段】電子機器の筐体内に配置され筐体内の部品を保護する電子機器の保護板において、前記保護板１は弾性変形可能な略長方形で形成され長手方向が筐体内部方向に延びるように配置され、筐体内部方向の先端部の縁を先端方向に向けて幅狭となる直線で形成した。【選択図】図１
2008283011.tif 000002
【特許請求の範囲】
【請求項１】
電子機器の筐体内に配置され筐体内の部品を保護する電子機器の保護板において、前記保護板は弾性変形可能な略長方形で形成された部分と長手方向の先端部の縁が先端方向に向けて幅狭となる直線または滑らかな曲線で形成されている部分とからなる電子機器の保護板。
【請求項２】
前記長手方向の先端部の両側の縁が先端方向に向けて幅狭となる直線または滑らかな曲線で形成されている請求項１の電子機器の保護板。
【請求項３】
前記長手方向の先端部の片側の縁が先端方向に向けて幅狭となる直線または滑らかな曲線で形成されている請求項１の電子機器の保護板。
【請求項４】
ＦＦＣまたはＦＰＣの一端が前記保護板の先端部と対向する基端部に固定され、さらにコネクタに接続されており、前記保護板はＦＦＣまたはＦＰＣを覆うことによりＦＦＣまたはＦＰＣを保護する請求項１から３のいずれかに記載した電子機器の保護板。
【請求項５】
前記ＦＦＣまたはＦＰＣの他端もコネクタに接続される請求項４の電子機器の保護板。
【請求項６】
前記保護板の先端部の角がＲ形状となっている請求項１から５のいずれかに記載した電子機器の保護板。
【発明の詳細な説明】
【技術分野】
【０００１】
この発明は筐体内に配置される電子機器の保護板に関する。
【背景技術】
【０００２】
従来電子機器において、ＦＦＣ（フレキシブルフラットケーブル）やＦＰＣ（フレキシブルプリントケーブル）等がプリント基板に実装された部品に近接して配置される場合にＦＦＣやＦＰＣが部品と当接して傷つくことを防止するため、ＦＦＣやＦＰＣと部品との間に保護板を配置していた。
【０００３】
図５にそのような保護板の従来の例を示す。図５に示すＦＦＣ１の一端は保護板６に固定されており、さらにコネクタ２に接続されている。ＦＦＣ１の他端もプリント基板等に取り付けられるコネクタ２に接続されている。保護板６は可撓性の長方形プラスチックシートで作られており、その長手方向がＦＦＣ１の長手方向と一致している。そして、ＦＦＣ１の下面に近接して配置される。
【０００４】
図６に上記保護板６の使用状態の例を示す。図６に示す筐体１０には構造物１１が配置されており、筐体１０と構造物１１との間にプリント基板７、８および９が配置されいる。ＦＦＣ１の保護板６が固定された側が接続されたコネクタ２はプリント基板８に取り付けられ、保護板６はプリント基板７とＦＦＣ１の間に配置される。そして、保護板６はプリント基板７に実装された部品７ａ、７ａ…がＦＦＣ１と当接してＦＦＣ１が傷つけられることを防止する。
【０００５】
図７に保護板６がプリント基板７とプリント基板９の間に配置される過程を示す。このとき、保護板６はプリント基板７に対して相対的に移動することになるが、保護板６の先端が部品７ａに突き当たることがある。このとき、保護板６の先端の縁は移動方向に対して直角方向の直線であるから、部品７ａは保護板６に対して移動方向と反対方向の力を及ぼす。この力は保護板６の長手方向に作用するから強い座屈力となる。
【０００６】
図７（ａ）および図７（ｂ）に保護板６が座屈した状態を示す。一端保護板６が下方向に座屈を始めると、部品７ａは保護板６の先端に上方向の力を及ぼすことはなく、座屈がさらに進み、保護板６の挿入作業を初めからやりなおさなければならい。このように、組み立て作業に手間がかかるという問題があった。
【発明の開示】
【発明が解決しようとする課題】
【０００７】
この発明は上記した点に鑑みてなされたものであって、その目的とするところは、組み立て作業が容易となる電子機器の保護板を提供することにある。
【課題を解決するための手段】
【０００８】
この発明の電子機器の保護板は、電子機器の筐体内に配置され筐体内の部品を保護する電子機器の保護板において、前記保護板は弾性変形可能な略長方形で形成された部分と長手方向の先端部の縁が先端方向に向けて幅狭となる直線または滑らかな曲線で形成されている部分とからなるものである。
【０００９】
また、前記電子機器の保護板において、前記長手方向の先端部の両側の縁が先端方向に向けて幅狭となる直線または滑らかな曲線で形成されているものである。
【００１０】
また、同電子機器の保護板において、前記長手方向の先端部の片側の縁が先端方向に向けて幅狭となる直線または滑らかな曲線で形成されているものである。
【００１１】
また、前記各記電子機器の保護板において、ＦＦＣまたはＦＰＣの一端が前記保護板の先端部と対向する基端部に固定され、さらにコネクタに接続されており、前記保護板はＦＦＣまたはＦＰＣを覆うことによりＦＦＣまたはＦＰＣを保護するものである。
【００１２】
また、前記電子機器の保護板において、前記ＦＦＣまたはＦＰＣの他端もコネクタに接続されるものである。
【００１３】
また、前記各電子機器の保護板において、前記保護板の先端部の角がＲ形状となっているものである。
【発明の効果】
【００１４】
この発明の保護板によれば、保護板を筐体内に挿入する作業が容易となる。
【発明を実施するための最良の形態】
【００１５】
以下この発明を実施するための最良の形態を実施例に即して説明する。
【実施例１】
【００１６】
図１はこの発明の実施例１である電子機器の保護板を示す斜視図である。実施例１に用いられる保護板３は両側の縁が先端方向に向けて幅狭となる直線で形成されており、先端部の角がＲ形状となっている。他の構成は図５および図６で説明した従来例のものと、同様であり、従来例と同様の部材には同一の部材が付してその詳細な説明を省略する。
【００１７】
実施例１の保護板３が部品７ａに当接すると、部品７ａは傾斜した縁の直線と直角方向の力を及ぼす。すなわち、この力は保護板３に対して進行方向および進行方向と直角方向の成分があり、保護板３は部品７ａに対して縁の直線方向に滑り始める。
【００１８】
そして、上方向または下方向に曲がろうとするが、座屈する力は弱く、下方向にはプリント基板の部品があり、上方向には広い空間があるため、最終的には図２示すように保護板３の先端は上方向に変形する。
【００１９】
そして、保護板３は図６に示す保護板６のように、プリント基板７に実装された部品７ａ、７ａ…とＦＦＣ１との間に配置されることになる。このように、保護板３の組み込み作業が容易となる。この実施例では保護板３の先端中央がプリント基板７に実装された背の高い部品の間に入り込む場合に有効である。
【実施例２】
【００２０】
図３はこの発明の実施例２である電子機器の保護板を示す斜視図である。実施例２に用いられる保護板４は片側の縁が先端方向に向けて幅狭となる直線で形成されており、先端部の角がＲ形状となっている。他の構成は図５および図６で説明した従来例と同様であり、従来例と同様の部材には同一の部材を付して、その詳細な説明を省略する。
【００２１】
この実施例では保護板４の先端に対して、プリント基板７に実装された背の高い部品が順次片側方向に偏るように配置されている場合に有効である。
【実施例３】
【００２２】
図４はこの発明の実施例３である電子機器の保護板を示す斜視図である。実施例３に用いられる保護板５は両側の縁が先端方向に向けて幅狭となる外側方向に凸の曲線で形成されている。他の構成は図５および図６で説明した従来例と同様であり、従来例と同様の部材には同一の部材を付して、その詳細な説明を省略する。
【００２３】
この実施例では保護板５の縁の曲線の保護板５の進行方向に対する後方に向けて傾斜角が小さくなっているので保護板５の先端部が部品に挟みこまれてロック状態となることが防止される。
【００２４】
実施例は以上のように構成されているが発明はこれに限られず、例えば、保護板の先端部と対向する基端部にＦＰＣが固定されている場合にもこの発明を適用することができる。また、筐体内に後から差し込むシート類にもこの発明を適用することが可能である。
【図面の簡単な説明】
【００２５】
【図１】この発明の実施例１である電子機器の保護板を示す斜視図である。
【図２】同電子機器の保護板の作用を説明するための部分斜視図である。
【図３】この発明の実施例２である電子機器の保護板を示す斜視図である。
【図４】この発明の実施例３である電子機器の保護板を示す斜視図である。
【図５】従来の電子機器の保護板の例を示す斜視図である。
【図６】同電子機器の保護板の使用状態を示す側面図である。
【図７】図７（ａ）は同電子機器の保護板の作用を説明するための部分斜視図、図７（ｂ）は同電子機器の保護板の作用を説明するための部分側面図である。
【符号の説明】
【００２６】
１  ＦＦＣ
２  コネクタ
３、４、５、６  保護板
７、８、９  プリント基板
７ａ  部品
１０  筐体
１１  構造物
【図１】
2008283011.tif 000003
【図２】
2008283011.tif 000004
【図３】
2008283011.tif 000005
【図４】
2008283011.tif 000006
【図５】
2008283011.tif 000007
【図６】
2008283011.tif 000008
【図７】
2008283011.tif 000009